(57)【要約】【課題】損傷を防止しつつ、脚取り付けを含む納品作業を容易にする。【解決手段】本梱包箱ＢＸは、上側部材１０と底側部材２０とが、切り取り線でなり容易に切り離し可能な接合部２１で接合されて方形の箱状に形成される。ピアノ本体３０が梱包された梱包箱ＢＸの背板部１２を下方に向けて梱包箱ＢＸを載置した状態で、底側部材２０を接合部２１で切り離し、ピアノ本体３０の底部３１を露出させる。次に、底部３１の脚取付部３２に脚３３を取り付け、所望の設置場所において正規の姿勢で電子ピアノＰＮを脚３３で立てて据え置きし、上側部材１０を上方に引き抜き、取り去ることで、脚３３の取り付け、開梱を含む電子ピアノＰＮの納品作業が完了する。【選択図】      図３
2005014912.tif 000002
【特許請求の範囲】
【請求項１】
製品本体の底部に設けられた脚取付部に脚を取り付けて据え置きされる製品の前記製品本体を梱包する梱包箱であって、
少なくとも前記製品本体の前記脚取付部に対応する部分を含む底側部材と、
前記底側部材に対し簡易切り離し部で切り離し容易に接続され、前記底側部材と共に前記製品本体を覆う上側部材とを有し、
前記製品本体が梱包された状態で、前記製品本体の底部が下方以外の方向を向く所定の姿勢とし、前記底側部材を前記簡易切り離し部で前記上側部材から切り離すことで、前記製品本体の前記脚取付部を露出させて前記脚の取り付け作業が可能になると共に、
前記製品本体の前記脚取付部に前記脚を取り付け該脚で前記製品本体を立てて据え置きした状態で、前記上側部材を前記製品本体から取り去ることで、前記製品本体の開梱が完了するように構成されたことを特徴とする梱包箱。
【請求項２】
前記所定の姿勢において、前記製品本体が、前記上側部材内に安定保持されるように該上側部材の内側に設けられた保護部をさらに有することを特徴とする請求項１記載の梱包箱。
【請求項３】
前記底側部材は、当該梱包箱の底部全域に相当するように構成され、前記脚で前記製品本体が据え置かれた状態で前記上側部材を上方に引き抜くことで、前記上側部材が前記製品本体から取り去られるように構成されたことを特徴とする請求項１または２記載の梱包箱。
【発明の詳細な説明】
【０００１】
【発明の属する技術の分野】
本発明は、底部に脚を取り付けて据え置きされる製品を梱包する梱包箱に関する。
【０００２】
【従来の技術】
従来、家電製品等の製品は、一般に、納品のために段ボール等の梱包箱で梱包される。例えば、下記特許文献１では、底面を開口に形成すると共に上部に上蓋を設けた梱包箱を用意し、枠板に嵌合する底部梱包部材の上に製品を載せ、その上から上記梱包箱を被せることで製品が梱包される。そして、納品時には、上記梱包箱を上方に引き上げることで製品から梱包箱を容易に取り去ることができる。
【０００３】
【特許文献１】
特開平５−３３８６８９号公報
【０００４】
【発明が解決しようとする課題】
しかしながら、電子ピアノ等、大型で、本体の底部に脚が取り付けられる製品においては、本体への脚の取り付け作業が納品時に行われることが多い。このような製品における脚取り付け及び開梱の作業を含む納品作業においては、通常、まず、本体の底部が下方に向く状態で本体を開梱し、次に、脚取り付けのために本体を一旦横向き等の姿勢にして脚を取り付けた後、所望の載置場所に移動させ、正規の姿勢に戻して脚にて製品を立てて据え置きするという手順がとられる。
【０００５】
そのため、正規の姿勢で開梱した後、本体の姿勢を一旦横向き等にして最終的に正規の姿勢に戻す必要があることから、特に電子ピアノ等の大型で重量のある製品については、納品の作業性が悪いという問題があった。
【０００６】
また、脚取り付け後における本体の移動や姿勢変更が開梱状態で行われる場合は、損傷の危険が増すという問題もあった。
【０００７】
本発明は上記従来技術の問題を解決するためになされたものであり、その目的は、損傷を防止しつつ、脚取り付けを含む納品作業を容易にすることができる梱包箱を提供することにある。
【０００８】
【課題を解決するための手段】
上記目的を達成するために本発明の請求項１の梱包箱は、製品本体の底部に設けられた脚取付部に脚を取り付けて据え置きされる製品の前記製品本体を梱包する梱包箱であって、少なくとも前記製品本体の前記脚取付部に対応する部分を含む底側部材と、前記底側部材に対し簡易切り離し部で切り離し容易に接続され、前記底側部材と共に前記製品本体を覆う上側部材とを有し、前記製品本体が梱包された状態で、前記製品本体の底部が下方以外の方向を向く所定の姿勢とし、前記底側部材を前記簡易切り離し部で前記上側部材から切り離すことで、前記製品本体の前記脚取付部を露出させて前記脚の取り付け作業が可能になると共に、前記製品本体の前記脚取付部に前記脚を取り付け該脚で前記製品本体を立てて据え置きした状態で、前記上側部材を前記製品本体から取り去ることで、前記製品本体の開梱が完了するように構成されたことを特徴とする。
【０００９】
この構成によれば、製品本体の底部が下方以外の方向を向く所定の姿勢で、底側部材を前記簡易切り離し部で上側部材から切り離し、脚取付部を露出させて脚を取り付け、次に、脚で製品本体を据え置きした状態で上側部材を製品本体から取り去ることで、製品本体の開梱が完了する。従って、開梱開始から、脚取り付け及び据え置きまでの間の製品本体の姿勢変更が１回で済むので作業が容易であり、また、製品本体の姿勢変更は、上側部材が覆われたまま行われるので外傷を受けにくい。よって、損傷を防止しつつ、脚取り付けを含む納品作業を容易にすることができる。
【００１０】
【発明の実施の形態】
以下、本発明の実施の形態を図面を参照して説明する。
【００１１】
図１は、本発明の一実施の形態に係る梱包箱を斜め上方からみた外観図である。図２（ａ）は同梱包箱を斜め下方からみた外観図である。図２（ｂ）は、同図（ａ）のＡ部の拡大図である。
【００１２】
本梱包箱ＢＸは、段ボール等で構成され、図２（ａ）に示すように、上側部材１０と底側部材２０とが接合部２１で接合されて方形の箱状に形成される。梱包箱ＢＸは、脚を取り付けて据え置きされる製品を梱包するのに用いられ、顧客宅等への納品時に開梱される。本実施の形態では、梱包される製品として、グランドピアノのような外観を有するグランド型電子ピアノ（以下、「電子ピアノＰＮ」と称する）（図４参照）を例示する。以降、据え置きされた電子ピアノＰＮを基準に前後左右の各方向を呼称する。
【００１３】
図３、図４は、電子ピアノＰＮの納品作業途中の状態を示す図である。図４に示すように、電子ピアノＰＮは、ピアノ本体３０に３本の脚３３（３３Ａ、３３Ｂ、３３Ｃ）が取り付けられてなる。梱包箱ＢＸには、ピアノ本体３０のみが梱包され、脚３３は別途梱包されるものとするが、梱包箱ＢＸ内に脚３３の梱包スペースを設けてピアノ本体３０と共に脚３３を梱包箱ＢＸに梱包するように構成してもよい。
【００１４】
上側部材１０は、前板部１３、背板部１２、左側板部１４、右側板部１５及び上板部１１（１１Ａ、１１Ｂ）で成る（図１、図３参照）。図３では、ピアノ本体３０が梱包された梱包箱ＢＸから底側部材２０を取り除き、背板部１２を下方にして載置した状態（所定の姿勢）が示され、図４では、ピアノ本体３０に脚３３を取り付け、電子ピアノＰＮを脚３３で立てて据え置きし、上側部材１０を取り去る前の状態が示されている。
【００１５】
接合部２１は、図２（ｂ）に示すように、間欠的な切り込みの繰り返しによる切り取り線で構成され、上側部材１０と底側部材２０とを、工具等を用いることなく容易に切り離すことができるようになっている。なお、接合部２１は、容易に切り離し可能であれば、切り取り線でなくてもよく、他の構成を採用してもよい。
【００１６】
ピアノ本体３０が梱包される前の梱包箱ＢＸにおいては、上板部１１Ａ及び上板部１１Ｂが境界部１１ａ（図１、図４参照）で扉状に分かれて開くことができる。梱包する際は、上板部１１Ａ及び上板部１１Ｂを開いて梱包箱ＢＸの上部を開口させ、その開口部分から、ピアノ本体３０及び保護材２２、２３を梱包箱ＢＸに収容した後、上板部１１Ａ及び上板部１１Ｂを閉じ、境界部１１ａをステープル等で綴じて封印する。このようにして、ピアノ本体３０が梱包され、上側部材１０及び底側部材２０に覆われる。
【００１７】
保護材２２、２３は、梱包箱ＢＸ内においてピアノ本体３０の後方に配置される。ピアノ本体３０の背面３０ａ（図１参照）は湾曲しており、方形の梱包箱ＢＸとの間に間隙が生じる。保護材２２は梱包箱ＢＸの後部右隅の間隙、保護材２３は梱包箱ＢＸの後部左隅の間隙にそれぞれ収容される。これにより、梱包箱ＢＸを、その背板部１２を下方にして載置したとき（図３参照）、保護材２２、２３によって、ピアノ本体３０が梱包箱ＢＸ内でがたつくことなく安定保持される。
【００１８】
保護材２２、２３は、開梱時に容易に脱落しないように上側部材１０に対して簡単に固定されるが、必ずしも固定しなくてもよい。また、保護材２２、２３を固定する代わりに、脱落防止のための係止部等を上側部材１０に設けてもよい。あるいは、保護材２２、２３と同様の形状を成す突出部を上側部材１０の内側に一体に、または別体で構成してもよい。
【００１９】
図３に示すように、ピアノ本体３０の底部３１には、脚３３Ａ、３３Ｂ、３３Ｃを取り付けるための３箇所の脚取付部３２Ａ、３２Ｂ、３２Ｃが設けられている。
【００２０】
納品作業は次のようにしてなされる。まず、図３に示すように、ピアノ本体３０が梱包された梱包箱ＢＸを、背板部１２を下方にして床等に載置する。このとき、保護材２２、２３によって、ピアノ本体３０が梱包箱ＢＸ内で安定保持されるので、ピアノ本体３０が外部から損傷を受けにくい。そして、手作業等により、上側部材１０と底側部材２０とを接合部２１で切り離して、ピアノ本体３０の底部３１を露出させる。次に、脚取付部３２Ａ、３２Ｂ、３２Ｃに脚３３Ａ、３３Ｂ、３３Ｃを取り付ける。このとき、底部３１は横方向を向いているので、梱包箱ＢＸの姿勢を変えることなく脚３３の取り付け作業が可能である。
【００２１】
その後、図４に示すように、脚３３Ａ、３３Ｂ、３３Ｃが取り付けられた電子ピアノＰＮの姿勢を９０°変え、所望の設置場所に電子ピアノＰＮを脚３３で据え置きする。そして、上側部材１０を真っ直ぐ上方に引き抜くことで取り去る。このとき、保護材２２、２３も上側部材１０と共に取り去られる。以上で、電子ピアノＰＮの納品作業が終了する。境界部１１ａを解く必要はない。
【００２２】
本実施の形態によれば、背板部１２を下方に向けて梱包箱ＢＸを載置した状態で、底側部材２０を接合部２１で容易に切り離してピアノ本体３０に脚３３を取り付けた後、電子ピアノＰＮを所望の設置場所において正規の姿勢に設置し、上側部材１０を取り去ることで、脚３３の取り付け、開梱を含む納品作業が完了する。従って、開梱開始から、脚３３の取り付け及び電子ピアノＰＮの据え置きまでの間のピアノ本体３０の姿勢変更が１回で済むので作業が容易であり、また、ピアノ本体３０の姿勢変更は、上側部材１０が覆われたまま行われるので外傷を受けにくい。よって、損傷を防止しつつ、脚取り付けを含む納品作業を容易にすることができる。
【００２３】
また、背板部１２を下方にして梱包箱ＢＸを載置したとき、保護材２２、２３によって、ピアノ本体３０が梱包箱ＢＸ内でがたつくことなく安定保持されるので、脚３３の取り付け作業時におけるピアノ本体３０の損傷を防止することができるだけでなく、安全に作業することができる。
【００２４】
また、底側部材２０は、梱包箱ＢＸの底部全域に相当するように構成されたので、上側部材１０は、真っ直ぐ上方に引き抜くだけで、ピアノ本体３０に引っかかることなく円滑に取り去ることができ、開梱作業が容易である。
【００２５】
なお、梱包対象となる製品は電子ピアノＰＮに限定されず、製品本体の底部に設けられた脚取付部に脚を取り付けて据え置きされる製品であれば、広く採用可能である。また、脚の本数も３本に限定されない。
【００２６】
なお、本実施の形態では、脚３３の取り付け作業時における梱包箱ＢＸの姿勢として、背板部１２が下向きとなる姿勢を例示し、且つ、保護材２２、２３が背板部１２側に配置される場合を例示したが、これらに限るものではなく、これらは、梱包される製品本体の形状に応じて決めればよい。具体的には、製品本体の底部が、下方以外の方向であって脚取り付け作業が可能な方向を向くような梱包箱の姿勢を採用すると共に、そのとき下向きとなる板部の内側に保護材を配置すればよい。
【００２７】
なお、保護材は、脚取り付け作業時における製品本体の安定保持ができればよいので、梱包される製品本体の形状に応じて、その形状及び配置を決めればよい。例えば、２隅に限らず、４隅等に配置してもよいし、製品本体の周囲全体または一部を覆うようなものであってもよい。
【００２８】
また、梱包箱ＢＸは方形に限るものではなく、製品本体の底部が、下方以外の方向であって脚取り付け作業が可能な方向を向くような梱包箱の安定的な姿勢が少なくとも１つ存在するように構成すればよい。
【００２９】
なお、本実施の形態では、ピアノ本体３０の底部３１が完全に露出するような形状に形成されたが、これに限るものではない。例えば、上側部材１０の取り去り作業が容易でなくなる点で不利となるが、少なくとも脚取付部３２のすべてが露出されるような形状であればよく、従って、３箇所の脚取付部３２の個々に対応する形状をした３つの底側部材を分けて構成してもよい。
【００３０】
【発明の効果】
以上説明したように、本発明によれば、損傷を防止しつつ、脚取り付けを含む納品作業を容易にすることができる。
【図面の簡単な説明】
【図１】本発明の一実施の形態に係る梱包箱を斜め上方からみた外観図である。
【図２】同梱包箱を斜め下方からみた外観図（図（ａ））及び同図（ａ）のＡ部の拡大図（図（ｂ））である。
【図３】電子ピアノの納品作業途中（脚取り付け時）の状態を示す図である。
【図４】電子ピアノの納品作業途中（上側部材の取り去り時）の状態を示す図である。
【符号の説明】
１０  上側部材、  ２０  底側部材、  ２１  接合部（簡易切り離し部）、  ２２、２３  保護材（保護部）、  ３０  ピアノ本体（製品本体）、  ３１  底部、  ３２  脚取付部、  ３３  脚、  ＢＸ  梱包箱、  ＰＮ  電子ピアノ
【図１】
2005014912.tif 000003
【図２】
2005014912.tif 000004
【図３】
2005014912.tif 000005
【図４】
2005014912.tif 000006